(57)【要約】      （修正有）【課題】正確な距離を測定するようにしたワイヤを用いた測長機を提供する。【解決手段】ドラム１２に巻取られているワイヤ１３を引き出すことで、距離を測定するワイヤを用いた測長機１１において、ドラム１２には、ワイヤ１３を巻き取り方向に回転させる働きをするばねユニット１４を設ける。このドラム１２からワイヤ１３が引き出される方向の先にワイヤ測長用プーリ２１を配し、このワイヤ測長用プーリ２１を介在してワイヤを引き出させるようにする。このワイヤ測長用プーリ２１に距離信号発信器２３を取付けて、距離信号を出力するようにする。【選択図】図１
0003185824.tif 000002
【実用新案登録請求の範囲】
【請求項１】
ドラムに巻取られているワイヤを引き出すことで、距離を測定するワイヤを用いた測長機において、
前記ドラムには、ワイヤを巻き取り方向に回転させる働きをするばねユニットが設けられると共に、このドラムからワイヤが引き出される方向の先にワイヤ測長用プーリを配し、このワイヤ測長用プーリを介在して前記ワイヤを引き出させるようにし、このワイヤ測長用プーリに距離信号発信器を取付けて、距離信号を出力するようにしたことを特徴とするワイヤを用いた測長機。
【請求項２】
前記ワイヤ測長用プーリにワイヤを一巻き以上させて介在したことを特徴とする請求項１記載のワイヤを用いた測長機。
【請求項３】
前記ばねユニットは、定荷重バネを用いたことを特徴とする請求項１記載のワイヤを用いた測長機。
【考案の詳細な説明】
【技術分野】
【０００１】
この考案は、ワイヤの引出量から距離を測定するワイヤを用いた測長機に関する。
【背景技術】
【０００２】
従来からドラムに糸を巻き付け、その糸を引き出すことで、距離をアナログ的に測定することが行われていた。例えば、実開平７−３６０１４号に示されるような構成となっている。
近年当出願人は、図２及び図３に示すようなワイヤを用いた測長機を提供している。この測長機１の構造は、ワイヤ３を巻き取るドラム２と、このドラム２を、ワイヤを巻き取る方向に回転させる働きをするばねユニット４と、ワイヤが引き出される方向の先に設けられたワイヤ測長用プーリ５と、前記ドラム２に設けられたエンコーダ６とより成っていて、ワイヤ３が引き出されると、ドラム２が回転し、その回転量がエンコーダ６より距離信号として出力され、表示機器にデジタル表示がなされている。
【０００３】
しかし、このような従来例では、第１にドラム２にワイヤ３が整列して密に巻かれ、一周すると、ワイヤの太さ寸法が横にすれてしまい、１巻き当たりの横にずれる誤差増加分は、下記数１に示すように表わされる。
【０００４】
【数１】
0003185824.tif 000003
【０００５】
従って、ドラム２にワイヤ３がｎ巻されている場合の誤差は、下記数２に表わされる。
【０００６】
【数２】
0003185824.tif 000004
【０００７】
また第２にドラム２にワイヤ３が整列して巻き取られると、一重巻きでも巻き始め巻き終りまで、一巻ごとにワイヤ測長用プーリ５の間で、角度θの変化があり、一巻当りの誤差増加分は、下記数３に表わされる。
【０００８】
【数３】
0003185824.tif 000005
【０００９】
その結果、ｎ巻きの誤差は、下記数４に表わされる。
【００１０】
【数４】
0003185824.tif 000006
【先行技術文献】
【特許文献】
【００１１】
【特許文献１】実開平７−３６０１４号公報
【考案の概要】
【考案が解決しようとする課題】
【００１２】
ワイヤを用いた測長機に誤差が発生すると、それを利用する機器に誤差が取り込まれ、機器が誤差により不都合が生じることになる。
【００１３】
そこで、この考案はドラムに巻き取られたワイヤを引き出すことで、その引き出し量から距離を検出するようにしたワイヤを用いた測長機において、上述した不具合を解消し、測定精度を向上させることにある。
【課題を解決するための手段】
【００１４】
この考案は、ドラムに巻取られているワイヤを引き出すことで、距離を測定するワイヤを用いた測長機において、前記ドラムには、ワイヤを巻き取り方向に回転させる働きをするばねユニットが設けられると共に、このドラムからワイヤが引き出される方向の先にワイヤ測長用プーリを配し、このワイヤ測長用プーリを介在して前記ワイヤを引き出させるようにし、このワイヤ測長用プーリに距離信号発信器を取付けて、距離信号を出力するようにしたことを特徴としている（請求項１）。
【００１５】
このため、距離信号発信器がワイヤ測長用プーリの回転により動かされ、距離信号が得られることになり、ドラム上に巻取られるワイヤの状態に影響されることがなくなった。
【００１６】
ワイヤはワイヤ測長用プーリに一巻き以上させていることが好ましい（請求項２）。またばねユニットは定荷重ばねを用いていることが好ましい（請求項３）。定荷重バネであると、ワイヤの引き出し量が大きくなっても、引張力が増加せず、操作性を良好に保つことができる。
【考案の効果】
【００１７】
この考案によれば、距離信号発信器がワイヤ測長用プーリの回転により動かされ、距離信号が得られ、ドラム上に巻き取られるワイヤの状態に影響されることがなくなり、正確な精度の高い距離信号が得られることになる。
従来例は、ドラム上にワイヤを整列させる機構を必要としているが、この考案では、ドラム上のワイヤの状態に影響されないため、ワイヤの整列機構が不要となる利点を持っている。
【図面の簡単な説明】
【００１８】
【図１】図１はこの考案の構成図である。
【図２】図２は従来例を示し、不具合を説明する説明図である。
【図３】図３は同上の他の不具合を説明する説明図である。
【考案を実施するための形態】
【実施例１】
【００１９】
図１において、この考案のワイヤを用いた測長機１１の構成が示され、ドラム１２を持ち、ワイヤ１３を巻き取るため、ドラム１２は中心に円筒状のドラム本体１２ａと、その両側に設けられ、円板状であって、ドラム本体１２ａの径よりも大きい一対の側板１２ｂ，１２ｂとより成っていて、ワイヤ１３をドラム本体１２ａ上に巻き取っている。
【００２０】
ばねユニット１４は、前記ドラム１２を回転させるためのもので、ワイヤ３を巻き取る方向に回転力を与えている。このばねユニット１４は当出願人会社が製造販売している定荷重ばね１９が用いられ、一対の円筒形ドラム１７，１８の一方のドラム１８の周面に定荷重ばね１９が何重にも巻き付けられ、他方のドラム１７の周面に前記ドラム１８から引き出された定荷重ばね１９が反り返って巻き付けられるように、前記ドラム１８の巻き方向と逆方向に数重巻き付けられている。なお、ドラム１７は前記ワイヤを用いた測長機１１のドラム１２の側板１２ｂに固着されている。
【００２１】
この構造のため、ばねユニット１４は、ワイヤ１３の引き出し量が大きくなっても、それに比して引張力が増加せず、操作性を良好に保つことになる。
【００２２】
ワイヤ測長用プーリ２１は、前記ドラム１２からワイヤ１３が引き出される方向の先に設けられ、軸芯２２と共に回転される。このワイヤ測長用プーリ２１には、前記ワイヤ１３が一重巻き、又は図示しないが多重巻きしてワイヤの引き出し方向に引き出される。ワイヤ１３の動きに連動してワイヤ測長用プーリ２１も回転され軸芯２２を回転させる。
【００２３】
軸芯２２には、エンコーダやレゾルバ等の距離信号発信器２３が取付けられ、この距離信号発信器２３はワイヤ測長用プーリ２１の回転により比例して回転され、距離信号として出力される。距離信号はデジタル表示機により変換され、数字として表わされる。
なお、この考案のワイヤを用いた測長機１１は、ドラム１２、ばねユニット１４及びワイヤ測長用プーリ２１とは、図示しないが基台に固定されていることは勿論である。
【００２４】
上述の構成において、ワイヤを用いた測長機１１を用いて距離を測定するには、ワイヤ１３の先端２４を摘んで引き出せば、ワイヤ測長用プーリ２１は回転し、距離信号発信器２３より距離信号が出力され、図示しない表示機より距離が表示される。ワイヤ測長用プーリ２１の回転はワイヤ１３の長さと比例しており、従来のようにドラム１２に巻き付けられるワイヤ１３による不都合が生じる余地はない。
【符号の説明】
【００２５】
１１  ワイヤを用いた測長機
１２  ドラム
１３  ワイヤ
１４  ばねユニット
１７  ドラム
１８  ドラム
１９  定荷重ばね
２１  ワイヤ測長用プーリ
２２  軸心
２３  距離信号発信器
２４  先端
【図１】
0003185824.tif 000007
【図２】
0003185824.tif 000008
【図３】
0003185824.tif 000009